(57)【要約】【課題】  外観を損なわず、また、脱ぎ着し易いだけでなく、脱がせやすく着用させやすさ等の介護者の負担にも配慮した、耐衝撃性に優れた衣類を提供することを目的とする。【解決手段】  着用者の間接部にかかる衝撃および圧力を吸収する緩衝部材５を備えた衣類であって、緩衝部材５は、可撓性を有するポリウレタンフォームで形成され、着用者の肌側である衣類肌側４に固定されている。緩衝部材５は、緩衝部材５を貫通する孔がドット状に開口された開口部６を有し、衣類肌側４側に形成された凹部８に嵌入され、当て布７を介して縫着部９により衣類肌側４に縫着されている。【選択図】図６
2020056137.tif 000002
【特許請求の範囲】
【請求項１】
着用者の間接部にかかる衝撃および圧力を吸収する緩衝部材を備えた衣類であって、
前記緩衝部材は、可撓性を有するポリウレタンフォームで形成され、
着用者の肌側に固定されている
ことを特徴とする耐衝撃性に優れた衣類。
【請求項２】
前記緩衝部材は、前記緩衝部材を貫通する孔がドット状に開口された開口部を有する
ことを特徴とする請求項１に記載の耐衝撃性に優れた衣類。
【請求項３】
前記開口部は、前記緩衝部材の平面において１０平方センチメートルあたり２００〜２５０個の開口部が５〜１０％を占める割合で形成されている
ことを特徴とする請求項２に記載の耐衝撃性に優れた衣類。
【請求項４】
着用者の肌側に前記緩衝部材が嵌入される凹部を備えている
ことを特徴とする請求項１〜３のいずれか１項に記載の耐衝撃性に優れた衣類。
【請求項５】
前記緩衝部材は、当て布を介して着用者の肌側に縫着されている
ことを特徴とする請求項１〜４のいずれか１項に記載の耐衝撃性に優れた衣類。
【請求項６】
着用者の間接部にかかる衝撃および圧力を吸収する緩衝部材を備えた衣類の製造方法であって、
衣類の着用者の肌側部分に、可撓性を有するポリウレタンフォームで形成された緩衝部材を固定する工程を含む
ことを特徴とする耐衝撃性に優れた衣類の製造方法。
【発明の詳細な説明】
【技術分野】
【０００１】
本発明は、耐衝撃性に優れた衣類に関する。
【背景技術】
【０００２】
従来、衝撃や圧力を吸収する緩衝部材を備えた衣類について種々の提案がなされている。オートバイや自転車等の転倒事故による衝撃を和らげるためのプロテクター付き衣類や、高齢者等の転倒による骨折を防止するためのクッション材入りの衣類等が提案されている。例えば、特許文献１では、上衣の肩口と袖の関節部位及び／又は下衣の関節部位と腰部の裏面側に、可撓性を有するプロテクターが着脱自在に収納される収納部を形成したことを特徴とする衣服が開示されている。また、特許文献２でも、転倒等の衝撃から腰部や大腿部等を保護するための緩衝部材を備えた衣類が開示されている。
【先行技術文献】
【特許文献】
【０００３】
【特許文献１】実開平５−４６９０６号公報
【特許文献２】実用新案登録第３０１７１２８号公報
【発明の概要】
【発明が解決しようとする課題】
【０００４】
しかしながら、上記従来の緩衝部材を備えた衣類には、緩衝部材を装着した状態で着用したときに外側へ盛り上がるような体裁となるため外観を損なうという問題がある。オートバイや自転車の乗車時という限られた状況下において着用する場合には、安全性を得る代わりに外観を損なう結果となることに対して着用者も甘受しやすいといえる。だが、日常的に着用する衣類について安全性のために外観を犠牲にすることに対しては着用者に我慢を強いることになってしまう。この場合の着用者とは高齢者等であり、緩衝部材を装着した状態で衣類を着用して日常生活を行うことについて心理的な抵抗を与えてしまうため着用を避けてしまい、その結果として転倒による骨折等を招いてしまうこともある。
【０００５】
また、被介護者等のように衣類の着用に際して介護を必要とする場合には、着心地や脱ぎ着のし易さだけでなく、脱がせやすさや着用させやすさ等の介護者の負担も考慮しなければならない。この点、上記従来の衣類のように、緩衝部材が着脱可能であると洗濯時に緩衝部材を取り外す等の手間がかかり、介護者の負担を重くしてしまうといった問題もある。
【０００６】
そこで、本発明はかかる問題点に鑑みなされたものであり、外観を損なわず、また、脱ぎ着し易いだけでなく、脱がせやすく着用させやすさ等の介護者の負担にも配慮した、耐衝撃性に優れた衣類を提供することを目的とする。
【課題を解決するための手段】
【０００７】
上記の課題を解決するために、本発明に係る耐衝撃性に優れた衣類は、着用者の間接部にかかる衝撃および圧力を吸収する緩衝部材を備えた衣類であって、前記緩衝部材は、可撓性を有するポリウレタンフォームで形成され、着用者の肌側に固定されていることを特徴とする。
【０００８】
これによれば、緩衝部材を可撓性のあるポリウレタンフォームで形成し、これを着用者の肌側、つまり、衣類の内側に固定するので、緩衝部材が衣類の外側へ盛り上がって不体裁となることがなく、外観を良好に維持することができる。また、衣類の内側に緩衝部材を固定するので、緩衝部材の着脱をする必要がなくなり、その結果として衣類を脱がせやすく着用させやすくなり、ひいては介護者の負担を軽減することが可能となる。
【０００９】
ここで、前記緩衝部材は、前記緩衝部材を貫通する孔がドット状に開口された開口部を有するのが好ましく、前記開口部は、前記緩衝部材の平面において１０平方センチメートルあたり２００〜２５０個の開口部が５〜１０％を占める割合で形成されているのがより好ましい。
【００１０】
これによれば、開口部を備えることで、着用者の動きに追随して、可撓性を有するポリウレタンフォームの緩衝部材がさらに適度に撓むようになり、着用時の着心地を良好なものにすることができる。
【００１１】
さらに、着用者の肌側に前記緩衝部材が嵌入される凹部を備えているのが好ましく、前記緩衝部材は、当て布を介して着用者の肌側に縫着されているのが好ましい。
【００１２】
これによれば、衣類の内側、つまり、着用者の肌側に緩衝部材が突き出ないようにして、着心地を良好に保つことができ、当て布によって緩衝部材を衣類の内側に固定しやすくすることができる。
【００１３】
また、本発明は、着用者の間接部にかかる衝撃および圧力を吸収する緩衝部材を備えた衣類の製造方法であって、衣類の着用者の肌側部分に、可撓性を有するポリウレタンフォームで形成された緩衝部材を固定する工程を含むことを特徴とする、耐衝撃性に優れた衣類の製造方法として構成してもよい。
【発明の効果】
【００１４】
以上のように、本発明に係る耐衝撃性に優れた衣類によれば、外観を損なうことなく、かつ、介護者の負担にも配慮した、耐衝撃性に優れた衣類が実現可能となる。
【図面の簡単な説明】
【００１５】
【図１】本発明の実施形態に係る上衣の正面図である。
【図２】本発明の実施形態に係る上衣の背面図である。
【図３】本発明の実施形態に係る下衣の正面図である。
【図４】本発明の実施形態に係る下衣の背面図である。
【図５】緩衝部材の構成を示す図である。
【図６】緩衝部材の衣類への取り付け部分の断面図である。
【発明を実施するための形態】
【００１６】
以下、本発明に係る耐衝撃性に優れた衣類について、実施の形態に基づいて説明する。
【００１７】
本発明に係る耐衝撃性に優れた衣類は、着用者の肩や大腿骨等の間接部位にかかる衝撃や圧力を吸収する緩衝部材を備えた衣類である。ここでは、上衣と下衣とを例に挙げて説明するが、上衣と下衣とが一体になったものであってもよい。
【００１８】
図１は、本発明の実施形態に係る上衣の正面図であり、図２はその背面図である。
【００１９】
上衣１は、着用者の肩への衝撃等を吸収する肩部緩衝部材１１と、着用者の肘への衝撃等を吸収する肘部緩衝部材１２とを着用者の肌側に備えている。
【００２０】
肩部緩衝部材１１は、肩から肘の方向へ延出しており肩だけでなく上腕部までカバーできるように配置されている。
【００２１】
肘部緩衝部材１２は、肘の後側、すなわち、正面側よりも背面側を覆う比率が高くなるように配置されている。これは、着用者として高齢者を想定する場合、着用時に前傾姿勢となることが多いため、上衣１は運動量を加味して後身頃を広くする構造とし、袖の前振り付けと肘部の運動量を加味したものである。
【００２２】
図３は、本発明の実施形態に係る下衣の正面図であり、図４はその背面図である。
【００２３】
下衣２は、着用者の側骨盤部や大腿骨への衝撃等を吸収する側骨盤部緩衝部材２１と、着用者の膝への衝撃等を吸収する膝部緩衝部材２２と、着用者の臀部への衝撃等を吸収する臀部緩衝部材２３とを着用者の肌側に備えている。ここでは、側骨盤部緩衝部材２１と膝部緩衝部材２２とを着用者の左側にのみ配置しているものを図示しているが、左右両側に配置する方が好ましい。
【００２４】
側骨盤部緩衝部材２１は、着用者の側骨盤部から大腿骨までをカバーできるように、太もも辺りまで正面側も背面側もカバーできるように配置されている。
【００２５】
膝部緩衝部材２２は、膝だけでなく脛への衝撃等も吸収できるように、正面側に配置されている。
【００２６】
臀部緩衝部材２３は、背面側にのみ配置されている。臀部は大腿骨とともに高齢者が骨折すると深刻化を招き易い部位である。また、臀部は、その他の部位に比べて、日常生活の動きにおいて緩衝部材が配置されていることを気にかけることが少ない部位である。そのため、臀部緩衝部材２３に配置される緩衝部材は、その他の部位に配置される緩衝部材に比べて厚みを持たせて、衝撃吸収力を高めるようにしてもよい。
【００２７】
下衣２は、運動量を加味し、着易さ、着させ易さ、脱ぎ易さ、脱がせ易さも考慮して、運動量を必要とする箇所にプリーツやダーツを施して立体的なシルエットとし、足通りを良好にし、着心地が良くなるようにしている。なお、従来の介護用衣料では、介護者が着やすくするために着用者に対して大き目のサイズのものを用意することが行われているが、結果として皺になり、床ずれを招くといったおそれがあるため好ましくない。
【００２８】
図５は、緩衝部材の構成を示す図である。
【００２９】
緩衝部材５は、肩部緩衝部材１０、肘部緩衝部材１１、側骨盤部緩衝部材２１、膝部緩衝部材２２および臀部緩衝部材２３として各部に配置され、各間接部位にかかる衝撃や圧力を吸収する緩衝部材であり、可撓性を有するポリウレタンフォームで形成されている。緩衝部材５の厚みは、５ｍｍ前後とし、ポリウレタンフォームが着用者の動きに追随して撓むようになっている。
【００３０】
緩衝部材５は、緩衝部材５を貫通する孔がドット状に開口された開口部６を備えている。この開口部６を備えていることにより、通気性を確保するとともに、着用者の動きに追随した緩衝部材５の撓みが適度になるので着用時の着心地を良好にしている。この適度な撓みを発揮させるために、開口部６は、緩衝部材５の平面において１０平方センチメートルあたり２００〜２５０個の開口部６が５〜１０％を占める割合で形成されているのが好ましい。
【００３１】
緩衝部材５は、衣類の内側、つまり、着用者の肌側に固定されるものであるところ、着用者の肌側に露出させて配置してもよいが、緩衝部材５の一方の面（着用者の肌に接する側の面）全体を被覆する当て布７を介して着用者の肌側に固定、例えば、縫着されるようにするのが好ましい。衣類に縫着する際には、ポリウレタンフォームである緩衝部材５をそのまま縫いつけるよりも当て布７を介して縫着する方が容易だからである。
【００３２】
また、当て布７は、着用者の肌に直接触れることもあるので、肌触りの良好な素材（例えば、綿や麻など）を用いると好ましい。さらに、当て布７も通気性のよいメッシュ等の目の粗い生地で構成し、緩衝部材５の通気性を阻害することがないようにすると尚良い。緩衝部材５および当て布７の通気性をよくすることにより、衣類を洗濯した時に乾きやすくすることができ、ひいては衣類の着用者や介護者の負担も軽減することにもつながる。
【００３３】
なお、当て布７は緩衝部材５を衣類の内側へ固定させるものという点を強調すれば、緩衝部材５の一方の面全体を被覆するものでなくても、緩衝部材５のうち衣類への固定部分のみを被覆するようにすれば足りるといえる。
【００３４】
図６は、緩衝部材５の衣類への取り付け方を説明するために取り付け部分の断面を模式的に示した図である。
【００３５】
緩衝部材５は、衣類のうち着用者の肌側である衣類肌側４に配置され、当て布７を介して縫着部９により固定されている。緩衝部材５を衣類肌側４にそのまま配置してもよいが、緩衝部材５の厚みの分、衣類肌側４に凸部分が生じるため、着心地を損ねてしまうおそれがある。そのため、衣類肌側４に、衣類外側３に向けて緩衝部材５を収容可能な凹み部分である凹部８を設けて、この凹部８に緩衝部材５を嵌入するように構成するのが好ましい。これにより、緩衝部材５が衣類肌側４に突き出ないようにして、着心地を良好に保つことができる。
【００３６】
このように、本実施形態の耐衝撃性に優れた衣類によれば、間接部位への衝撃等を吸収する緩衝部材として可撓性を有するポリウレタンフォームで形成したものを用い、これを着用者の肌側、つまり、衣類の内側に固定するので、緩衝部材が衣類の外側へ盛り上がるような体裁とはならず、外観を損なうことがない。また、衣類の内側に緩衝部材を固定しているので、緩衝部材の着脱をする必要がないため脱がせやすく着用させやすくなり、介護者の負担も軽減することができる。さらに、緩衝部材は可撓性を有するポリウレタンフォームで形成され、緩衝部材を貫通する孔がドット状に開口されているので、緩衝部材が着用者の動きに追随して適度に撓んで着用時の着心地を良好にしている。
【００３７】
以上、本発明に係る耐衝撃性に優れた衣類について実施形態に基づいて説明したが、本発明はこれに限定されるものではなく、本発明の目的を達成でき、且つ発明の要旨を逸脱しない範囲内で種々の設計変更が可能であり、それらも全て本発明の技術的範囲に包含されるものである。
【００３８】
例えば、上記実施の形態では、緩衝部材を当て布を介して衣類の内側に縫着して固定するとしたが、縫着でなくても当て布に接着剤を塗布して衣類の内側に貼着する等のその他の固定手段であってもよい。
【００３９】
また、上記実施の形態では肩、肘、骨盤側部、膝および臀部を保護するよう緩衝部材を配置する例を示したが、その他の間接部位を保護するようにしてもよいことは言うまでもない。
【産業上の利用可能性】
【００４０】
本発明に係る耐衝撃性に優れた衣類は、着用者の間接部位等への衝撃を吸収する緩衝部材を備えた衣類として有用である。介護を要する被介護者用の衣類としても好適である。
【符号の説明】
【００４１】
１  上衣
２  下衣
３  衣類外側
４  衣類肌側
５  緩衝部材
６  開口部
７  当て布
８  凹部
９  縫着部
１０  肩部緩衝部材
１１  肘部緩衝部材
２１  側骨盤部緩衝部材
２２  膝部緩衝部材
２３  臀部緩衝部材
【図１】
2020056137.tif 000003
【図２】
2020056137.tif 000004
【図３】
2020056137.tif 000005
【図４】
2020056137.tif 000006
【図５】
2020056137.tif 000007
【図６】
2020056137.tif 000008